(57)【要約】      （修正有）【課題】収納能力が高く、数枚の硬貨を同時に出し入れができる小銭入れを提供する。【解決手段】必要な小銭が短時間で支払えて、貯まった小銭を有効活用するために、１円硬貨、５円硬貨、１０円硬貨、５０円硬貨、１００円硬貨、５００円硬貨を収納するための同じ長さの筒を平面上に端部位置を揃えて柔軟性のある底のシートに平行に定着させた。筒の長手方向の幅とほぼ同じ幅で筒の開口した一端で底部になる全開口部すべてを閉塞するため、底のシートを折り返して筒上面に定着する。筒底部の反対側の一端は筒上部全面に面ファスナー（凹）４を定着し、底のシートを折り返したとき、全筒開口部を閉塞できるとともに、全ての筒で係止できる位置に面ファスナー（凸）５を定着し、面ファスナーを着脱できる取っ手の余白部を設けた。筒の数は必要に応じて設定できる。【選択図】図１
0003227957.tif 000002
【実用新案登録請求の範囲】
【請求項１】
1円硬貨、５円硬貨、１０円硬貨、５０円硬貨、１００円硬貨、５００円硬貨を収納するための同じ長さの筒を平面上に端部位置を揃えて定着させた柔軟性のある底のシートは平行に定着させた筒の長手方向の平面幅とほぼ同じ幅で筒の開口した一端で底部になる全開口部すべてを閉塞するため折り返して筒上面に定着する。筒底部の反対側の一端は筒上部全長に面ファスナー（凹）を定着し、底のシートを折り返したとき、全筒開口部を閉塞できるとともに面ファスナー（凸）と面ファスナー（凹）とが全ての筒で係止できる位置に
面ファスナー（凸）を定着し、面ファスナーを着脱できる取っ手としての余白部を設けたこと、筒の数は必要に応じて硬貨の種類を選択設定できることを特徴とする小銭入れである。
【考案の詳細な説明】
【技術分野】
【０００１】
小銭入れについて、小銭の出し入れ収納に関する。
【背景技術】
【０００２】
従来の小銭入れは硬貨の種類を問わず一か所に収納するものである。中には特許文献のように種類別に９９９円を収納するものもあるが、本案件は全硬貨を一平面上で出し入れできるとともに、収納能力も高く、数枚の硬貨を容易に同時に出し入れができる小銭入れに関する。
【先行技術文献】
【特許文献】
【０００３】
【特許文献１】特願２０１０−２６８８７０
【非特許文献】
【０００４】
【非特許文献１】腕用リングに小銭を粘着させたものがある。
【考案の概要】
【考案が解決しようとする課題】
【０００５】
昨今は現金を使用せず、スマホ等で決済ができる方法もあるが、買い物の支払いを現金で行う人も数多くある。買い物の際に小銭入れから必要な硬貨を選び出すのは煩わしく時間がかかるため、次の人への気遣いもあり、紙幣で支払い小銭が必要以上に貯まるとともに有効活用に困っていた。
【課題を解決するための手段】
【０００６】
必要な小銭が短時間で支払えて、貯まった小銭を有効活用するために、１円硬貨、５円硬貨、１０円硬貨、５０円硬貨、１００円硬貨、５００円硬貨を保持するための同じ長さの筒を平面上に端部位置を揃えて定着させた柔軟性のある底のシートは平行に定着させた筒の長手方向の平面幅とほぼ同じ幅で筒の開口した一端で底部になる全開口部すべてを閉塞するため折り返して筒上面に定着する。筒底部の反対側の一端は筒上部全面に筒の長手方向と直角に面ファスナー（凹）を定着し、底のシートを折り返したとき、全筒開口部を閉塞できるとともに面ファスナー（凸）と面ファスナー（凹）とが全ての筒で係止できる位置に面ファスナー（凸）を定着し、面ファスナーを着脱できる取っ手となる余白部を設けたことを特徴とする筒の数は必要に応じて硬貨の種類を選択設定できる小銭入れを構築する。
【考案の効果】
【０００７】
一平面上で必要なすべての硬貨を容易に、数枚単位で出し入れができるため、短時間で小銭支払いができるため、小銭の有効活用が進み、小銭が必要以上に貯まることを防げるため、小銭の両替に行く手間と手数料の支払いも不要になる。
【図面の簡単な説明】
【０００８】
【図１】本考案の6種の硬貨を入れる一実施例の小銭入れの開閉ふたを開いた時の平面図
【図２】本考案の６種の硬貨を入れる一実施例の小銭入れのふたを閉じたときの平面図
【図３】図２のＡ方向から見た側面図
【図４】一実施例の６種の硬貨を対象にした筒の作り方の斜視図
【図５】図４を利用した時の一実施例の制作過程の説明用斜視図
【考案を実施するための形態】
【０００９】
1円硬貨、５円硬貨、１０円硬貨、５０円硬貨、１００円硬貨、５００円硬貨を収納するための同じ長さの筒を平面上に端部位置を揃えて定着させた柔軟性のある底のシートは平行に定着させた筒の長手方向の平面幅とほぼ同じ幅で筒の開口した一端で底部になる全開口部すべてを閉塞するため折り返して筒上面に筒の長手方向と直角に定着する。筒底部の反対側の一端は筒上部全長に面ファスナー（凹）を定着し、底のシートを折り返したとき、全筒開口部を閉塞できるとともに面ファスナー（凸）と面ファスナー（凹）とが全ての筒で係止できる位置に面ファスナー（凸）を定着し、面ファスナーを着脱できる取っ手としての余白部を設けたこと、筒の数は必要に応じて硬貨の種類を選択設定できることを特徴とする小銭入れであり、小銭の支払い時に時間をかけずに小銭を提供することができる。
【実施例】
【００１０】
図１は本考案の一実施例に基づくふたを開け硬貨がどのように配置されているか各硬貨がどのように収納されているかを示した平面図である。上から順に５００円、１００円、５０円、１０円、１円の硬貨が収納されている。収納されている硬貨がどの筒に入っているかを明確にするため、各筒や各筒の近傍には刺繍やシール等で硬貨の種類の表示をすればより分かりやすくなる。硬貨を収納する筒は必要な硬貨を選択し、必要な筒のみにすることができる。木綿布を横７６０ｍｍ縦１８０ｍｍに裁断した後、裁断した面の糸ほつれが出ないよう約５ｍｍ折り返して平縫いを行い、ある程度の剛性が出るよう縦側を２つ折りにし横７５０ｍｍ縦８５ｍｍにしたものの外周を平縫いして一枚の布にした。その後、横長に置いた布に左から順に全幅に渡り２５、１００、４５、８０、４０、８０、４０、８０、４０，８０，４０，８０、２０ｍｍの間隔で横長線と直角に直線を描いた。１００ｍｍ幅の直線の左右を重ねて筒を作り、その重ねた直線の全長に渡り平縫いを行い筒を完成させた。同様に同じ方向に筒ができるよう、全周８０ｍｍの筒を５個作った。6種硬貨用筒７が完成した時の斜視図が図４になる。筒と筒の間の隙間は筒が重ならないようにするための隙間である。筒の全周長さは硬貨がスムーズに出し入れができるよう硬貨の全周長さより大きくした。図４のように作った6種硬貨用筒７を定着させ、包み込むベースの布は同様に木綿布を横５２０ｍｍ、縦３５０ｍｍに裁断した布の裁断した面の糸ほつれが出ないよう約５ｍｍ折り返して平縫いを行い、ある程度の剛性が出るよう縦側を２つ折りにし横５１０ｍｍ縦１７０ｍｍにしたものの外周を平縫いして一枚の布にした。図５に示す通り、筒を平縫い部分を中心に均等になるようつぶした後、6種硬貨用筒７とベースの布８の位置合わせを行い、6種硬貨用筒７の底面とベースの布８を接着し、6種硬貨用筒７の開口した全ての筒の底部をふさぐための接着剤１０を塗布した後、ベースの布８を折り返して接着し6種硬貨用筒７の開口した全ての筒の底を閉塞した。また、面ファスナー（凹）を6種硬貨用筒７の全長に渡り接着するため、面ファスナー（凹）用接着剤１１を塗布後、面ファスナー（凹）を筒の長手方向と直角に接着した。また、面ファスナー（凸）を筒底と反対側の全ての筒端を閉塞できる位置に接着できるよう面ファスナー（凸）用接着剤９を塗布後面ファスナー（凸）を接着した。接着剤硬化後、各筒に予定していた６種の硬貨を１７枚ずつ入れ、持ち運び、硬貨の落下、硬貨の複数枚の出し入れがスムーズにできること、硬貨出し入れ側のふたの開閉が問題なくできることを確認した。小銭入れの材料は柔軟性のある合成樹脂でもできるが、硬貨の出し入れ時に筒の内部に適当な摩擦係数がないと硬貨がなだれ落ちたり、取りにくかったりする。また、筒は剛性のあるものだと変形せず、かさばってしまう。手と接触する外面は布が感触が良い。                
【産業上の利用可能性】
【００１１】
本考案は必要以上に貯まった小銭を有効活用したい人にとって、銀行等への両替の手間と手数料を払うことなく、小銭を支払うときに手間をかけずに短時間で提出できるため、後ろで待つ人にも迷惑をかけず、貯まった小銭を処分できる有用な小銭入れを新規に提供することで広く利用されるものである。
【符号の説明】
【００１２】
１  本考案の小銭入れの一実施例のふたを開けた時の硬貨の種類と硬貨の収納状態を示す平面図
２  収納されている硬貨の種類
３  収納されている硬貨が顔を出したところ
４  接着された面ファスナー（凹）
５  接着された面ファスナー（凸）
６  収納されている硬貨
７  筒
８  ベースの布
９  面ファスナー（凸）用接着剤
１０  筒７の筒の開口底部をふさぐための接着剤
１１  面ファスナー（凹）用接着剤
１２  本考案の小銭入れの一実施例のふたを閉めた平面図
【図１】
0003227957.tif 000003
【図２】
0003227957.tif 000004
【図３】
0003227957.tif 000005
【図４】
0003227957.tif 000006
【図５】
0003227957.tif 000007
【手続補正書】
【提出日】令和2年6月24日(2020.6.24)
【手続補正１】
【補正対象書類名】実用新案登録請求の範囲
【補正対象項目名】請求項１
【補正方法】変更
【補正の内容】
【請求項１】
１円硬貨、５円硬貨、５０円硬貨、１００                        
円硬貨、５００円硬貨を収納するための同
じ長さの筒を平面上に端部位置を揃えて定着
させた柔軟性のある底のシートは平行に定着
させた筒の長手方向の平面幅とほぼ同じ幅で
筒の開口した一端で底部になる全開口部すべ
てを閉塞するため折り返して筒上面に定着し、
筒底部の反対側の一端は筒上部全長に面ファ
スナー（凹）を定着し、底のシートを折り返し
たとき、全筒開口部を閉塞できるとともに面
ファスナー（凸）と面ファスナー（凹）とが
すべての筒で係止できる位置に面ファスナー（凸）
を定着し、面ファスナーを着脱できる取っ手と
しての余白部を設けたこと、筒の数は必要に応じ
て硬貨の種類を選択設定できることを特徴とする小銭入れ。